(57)【特許請求の範囲】
【請求項１】
糊代片、天パネル、前パネル、底パネル、後パネル、第一表示パネル、第二表示パネルが折れ線を解して折り曲げ可能に連設され、前記天パネルの両側辺には側上パネルがそれぞれ折れ線を介して折り曲げ可能に連設され、前記前パネルの両側辺には折り込み片がそれぞれ折れ線を介して折り曲げ可能に連設され、前記底パネルの両側辺には側下パネルがそれぞれ折れ線を介して折り曲げ可能に連設され、前記後パネルの両側辺には折り込み片がそれぞれ折れ線を介して折り曲げ可能に連設され、前記第一表示パネルの両側辺には側パネルがそれぞれ引き裂き手段を有する折れ線を介して折り曲げ可能に連設されたブランクからなり、前記天パネルにはジッパーで切り取り可能な開口部を設け、前記第二表示パネルには切り込みにより前記第一表示パネルに連設した差し込み片を設けると共に前記天パネルと前パネルとの折れ線上に、前記差し込み片を差し込み可能に差し込み口を設け、前記天パネルの両側辺に連設されたそれぞれの側上パネルの両側端角部にはそれぞれ切り欠けを設け、前記ブランクの各パネルを内側に折り曲げて、前記第二表示パネルを前記第一表示パネルに貼り合わせて表示パネル部とし、前記糊代片と前記後パネルとを貼り合わせ、前記側下パネルと前記側上パネルおよび側パネルとを同時に貼り合わせて、組み立てて形成されることを特徴とするカートン。
【請求項２】
前記引き裂き手段が、ミシン目又はリード罫であることを特徴とする請求項１に記載のカートン。
【発明の詳細な説明】
【０００１】
【発明の属する技術分野】
この発明は、菓子、食品、医薬品、化粧品、電気部品等の商品説明などの表示を多く記載する商品を収納するリクローズ可能な表示パネルを有するカートンに関するものである。
【０００２】
【従来の技術】
従来から、菓子、食品、医薬品、化粧品、電気部品等の内容物を収納したカートンにおいて、商品についての内容説明、使用方法、キャンペーンの説明等の情報は、これらの内容物を収納するカートンの表面に印刷されたり、情報が印刷された「取扱説明書」等が別途内容物と共にカートンに収納されている。また、所謂ＰＬ法の施行に伴い、カートンに記載する内容説明、使用方法等の情報量は益々増加する傾向にある。
【０００３】
【発明が解決しようとする課題】
しかしながら、内容説明、使用方法、キャンペーンの説明等の情報をカートンの表面に印刷する場合には、カートンの表面積によって印刷する部分が限定されるため、充分な量の内容説明、使用方法、キャンペーンの説明等の情報を記載することができない。
【０００４】
一方、別途商品と共にカートン内に収納する「取扱説明書」等の場合には、情報量を多くすることはできるが、この場合には開封してカートンから取り出さねばならず、カートンの種類によってはカートンの一部を破損しなければ取り出せないため、このようなカートンの場合、製品の購入前に消費者が「取扱説明書」等を読むことは不可能であった。つまり、必要とされる情報を消費者が得ることが困難な状況となっていた。
【０００５】
本発明は、カートンに記載できる表面積を増やすために、表示パネルを設けることによって、製品についての必要な多くの情報を消費者（使用者）が得ることができ、かつ、表示パネルをリクローズ可能な蓋として使用できるカートンを提供することを目的とするものである。
【０００６】
【課題を解決するための手段】
上記の目的を達成するために、本発明は、糊代片、天パネル、前パネル、底パネル、後パネル、第一表示パネル、第二表示パネルが折れ線を解して折り曲げ可能に連設され、前記天パネルの両側辺には側上パネルがそれぞれ折れ線を介して折り曲げ可能に連設され、前記前パネルの両側辺には折り込み片がそれぞれ折れ線を介して折り曲げ可能に連設され、前記底パネルの両側辺には側下パネルがそれぞれ折れ線を介して折り曲げ可能に連設され、前記後パネルの両側辺には折り込み片がそれぞれ折れ線を介して折り曲げ可能に連設され、前記第一表示パネルの両側辺には側パネルがそれぞれ引き裂き手段を有する折れ線を介して折り曲げ可能に連設されたブランクからなり、前記天パネルにはジッパーで切り取り可能な開口部を設け、前記第二表示パネルには切り込みにより前記第一表示パネルに連設した差し込み片を設けると共に前記天パネルと前パネルとの折れ線上に、前記差し込み片を差し込み可能に差し込み口を設け、前記天パネルの両側辺に連設されたそれぞれの側上パネルの両側端角部にはそれぞれ切り欠けを設け、前記ブランクの各パネルを内側に折り曲げて、前記第二表示パネルを前記第一表示パネルに貼り合わせて表示パネル部とし、前記糊代片と前記後パネルとを貼り合わせ、前記側下パネルと前記側上パネルおよび側パネルとを同時に貼り合わせて、組み立てて形成されることを特徴とするカートンである。
【０００７】
また、前記引き裂き手段が、ミシン目又はリード罫であることを特徴とする。
【０００８】
本発明によれば、カートンに記載できる表面積を増やすために、表示パネル部を設けることによって、製品についての必要な多くの情報を消費者（使用者）が得ることができ、かつ、表示パネル部をリクローズ可能な蓋として使用できるカートンを得ることができる。
【０００９】
【発明の実施の形態】
以下、図面を用いて本発明の実施の形態を説明する。
【００１０】
図１は本発明のカートンの実施の形態の一実施例を示す斜視図であり、図１−ａは表示パネルを閉じた状態を示す斜視図であり、図１−ｂは表示パネル部を開いた状態を示す斜視図である。本発明のカートンＡは、カートン本体Ｈと表示パネル部Ｐとからなり、表示パネル部Ｐを閉じた状態では直方体形状のカートンである。表示パネル部Ｐは、開封後リクローズが可能で、表示パネル部Ｐに設けた差し込み片Ｑをカートン本体Ｈに設けた差し込み口Ｒに差し込むことにより図１−ａに示す閉じた状態のカートンとすることができる。カートン本体Ｈの天パネル１１には、ジッパーなどにより開口可能な開口部Ｓを設けている。
【００１１】
図２は本発明のカートンの実施の形態の一実施例のブランクの展開図である。ブランク１０は、折れ線ａ、ｂ、ｃ、ｄ、ｅ、ｆを介して、糊代片１１ａ、天パネル１１、前パネル１２、底パネル１３、後パネル１４、第一表示パネル１５、第二表示パネル１６を順次連設している。また、天パネル１１の両側辺には、折れ線ｇを介して側上パネル１７、１７をそれぞれ連設し、この側上パネル１７、１７の角部には切り欠け１７ａを設けている。また、前パネル１２の両側辺には、折れ線ｈを介して折り込み片１８、１８をそれぞれ連設し、底パネル１３の両側辺には、折れ線ｉを介して側下パネル１９、１９をそれぞれ連設し、後パネル１４の両側辺には、折れ線ｊを介して折り込み片２０、２０をそれぞれ連設している。さらに、第一表示パネル１５の両側辺には、折れ線ｋを介して側パネル２１、２１をそれぞれ連設し、この折れ線ｋは、第一表示パネル１５を側パネル２１、２１から引き裂くことができるような引き裂き手段として、ミシン目としている。また、第二表示パネル１６には、第一表示パネル１５と折れ線ｆで連設した形に切り込みによる差し込み片Ｑを設け、天パネル１１と前パネル１２との折れ線ｂの線上の一部に差し込み片Ｑを差し込む差し込み口Ｒを設けている。また、天パネル１１には、二つの平行のジッパーＺを設け、摘み片Ｔから引き裂き可能な帯状の開口部Ｓを設けている。この開口部Ｓは、予め開口した状態の形にすることもできる。
【００１２】
つぎに、図２に示した展開されたブランク１０からの本実施の形態のカートンＡを組立てて内容物を充填包装する工程について図を用いて説明する。
【００１３】
まず、ブランク１０の状態から、図３−ａに示すように、折り畳まれた状態のカートンＡとする。この工程は、まず、図３−ｂに示すように、天パネル１１を折れ線ｂで後パネル１２側に折り曲げ、そして、第二表示パネル１６を折れ線ｆで第一表示パネル１５側に折り曲げて貼り合わせる。つぎに、図３−ｃに示すように、折り畳まれた第二表示パネル１６、第一表示パネル１５、そして前パネル１４を折れ線ｄで底パネル１３側に折り曲げて糊代片１１ａと前パネル１４とを貼り合わせる。このようにして、折り畳まれた状態のカートンＡが作製されるが、この加工は、従来の製函工程で行うことができる。
【００１４】
つぎに、従来の所謂カートニングマシーンによって、カートンＡが組み立てられ、内容物が充填され、密封されるが、まず、折り畳まれた状態から、図４−ａに示すように起こされた状態とする。つぎに、図４−ｂに示すように、一方の側部を形成するが、まず、二つの折り込み片１８、２０を内側に折り込み、つぎに側下パネル１９を内側に折り曲げ、さらに、側上パネル１７と側パネル２１を折り曲げて側下パネル１９と接着して固定する。この時、側下パネル１９と側パネル２１との貼り合わせは、側上パネル１７の角部の切り欠け１７ａの部分を通して行われる。
【００１５】
この図４−ｃに示した状態で、他方の側部側から内容物をカートン内に挿入する。そして、前記の側部の形成と同様に、二つの折り込み片１８、２０を内側に折り込み、つぎに側下パネル１９を内側に折り曲げ、さらに、側上パネル１７と側パネル２１を折り曲げて側下パネル１９と接着して固定して、図１に示すように、カートンＡの組立ておよび内容物の充填包装を終了する。
【００１６】
上述のように作製された本発明のカートンＡを実際に使用する時には、まず、重なり合った第一表示パネル１５と第二表示パネル１６を両側辺のミシン目で側パネル２１、２１から引き裂きながら開く、このことによって、天パネル１１が表出する。つぎに、摘み片Ｔを取っ掛かりとしてジッパーＺを引き裂くことにより、天パネル１１の開口部Ｓを開口することができる。この開口部Ｓを開口することによって、内容物を取り出すことができる。また、開封後、第二パネル１６に設けた差し込み片Ｑを引き出し、差し込み口Ｒに差し込むことにより、リクローズすることができる。
【００１７】
本発明のカートンに使用される板紙はカートンサイズにもよるが、コートボール、クラフトボール、マニラボール等広範囲のものが好適に使用できる。坪量についてはカートンのブランクサイズに合わせて適宜選択することができる。
【００１８】
本発明のカートンのブランクへの印刷は、オフセット印刷、グラビア印刷、フレキソ印刷、シルクスクリーン印刷等いかなる方法を用いてもよい。さらに、印刷面に対して艶出し、箔押し、エンボス等の後加工も自由に行うことができる。
【００１９】
本発明によるカートンは実施例の記載に限定されることなく、本発明の要旨を逸脱しない範囲内で種々の変形が可能である。例えば、第一表示パネルの形状をデザインに合わせて種々の形とすることができる。
【００２０】
このように本発明のカートンＡにおいては、カートンの表面に加えて、この第一表示パネル１５および第二表示パネル１６の両面に多くの情報を記載することができ、かつ、開封後、表示パネル部をリクローズすることができる。
【００２１】
【発明の効果】
以上説明したように、本発明によれば、開封前の状態においては、通常のカートンと同様の六面を有する直方体であり、開封後に表示パネル部を開くことにより、表示パネル部の裏面および天パネルに記載された多くの情報を得ることができる。また、表示パネル部を開いて情報を得た後に、開口部を開口し、表示パネル部の差し込み片をカートン本体の差し込み口に差し込み、リクローズすることができる。さらに、本発明のカートンは、従来の製函工程で製造することができ、そして、従来のカートニングマシンによってカートンの組立ておよび内容物の充填を行うことができる。
【図面の簡単な説明】
【図１】本発明のカートンの実施の形態の一実施例を示す斜視図である。
【図２】本発明のカートンの実施の形態の一実施例のブランクの展開図である。
【図３】本発明のカートンの実施の形態の一実施例の折り畳んだ状態に組み立てる工程を説明する図である。
【図４】本発明のカートンの実施の形態の一実施例の組み立て内容物を充填包装する工程を説明する図である。
【符号の説明】
Ａ    カートン
１０    ブランク
１１    天パネル
１２    前パネル
１３    底パネル
１４    後パネル
１５    第一表示パネル
１６    第二表示パネル
１７    側上パネル
１７ａ  切り欠け
１８    折り込み片
１９    側下パネル
２０    折り込み片
２１    側パネル
Ｈ    カートン本体
Ｐ    表示パネル部
Ｑ    差し込み片
Ｒ    差し込み口
Ｓ    開口部
Ｔ    摘み片
Ｚ    ジッパー
ａ〜ｊ  折れ線
ｋ    折れ線(ミシン目）
【図１】
0004498566.tif 000002
【図２】
0004498566.tif 000003
【図３】
0004498566.tif 000004
【図４】
0004498566.tif 000005